(57)【要約】【課題】センサをダクト内の適切な位置に配置することが可能なセンサ取付治具を得る。【解決手段】センサ取付治具１０は、ダクト８０の測定口８２からダクト８０の内部へ挿入されるシャフト１２と、シャフト１２の先端部に設けられ、ダクト８０の内部で折れ曲がり軸方向を空気の流れ方向とする折曲部材１４と、折曲部材１４に展開閉止可能に取り付けられ、シャフト１２に挿通された展開用紐３８の操作により、放射状に展開又は閉止する複数の開閉部材１６と、開閉部材１６に取り付けられ、ダクト８０の内部を流れる空気の状態を測定する温度センサ１８及び風速センサ２０と、を有する。【選択図】図１
2019219191.tif 000002
【特許請求の範囲】
【請求項１】
ダクトの測定口から前記ダクトの内部へ挿入されるシャフトと、
前記シャフトの先端部に設けられ、前記ダクトの内部で折れ曲がり軸方向を空気の流れ方向とする折曲部材と、
前記折曲部材に展開閉止可能に取り付けられ、前記シャフトに挿通された操作部材の操作により、放射状に展開又は閉止する複数の開閉部材と、
前記開閉部材に取り付けられ、前記ダクトの内部を流れる空気の状態を測定するセンサと、
を有するセンサ取付治具。
【請求項２】
前記折曲部材は、受け板と、前記受け板より前記折曲部材の先端側で前記折曲部材の軸方向に沿って移動する筒状体と、前記受け板と前記筒状体との間に介在される開閉バネと、を備え、
前記開閉部材は、一端が前記受け板に回動可能に連結され、前記センサが取り付けられた傘軸と、一端が前記筒状体に回動可能に連結され、他端が傘軸に回動可能に連結された支持軸と、を備え、
前記操作部材は、一端部が前記筒状体に取り付けられ、他端部が前記シャフトから引き出され、前記筒状体を移動させる展開用紐である請求項１に記載のセンサ取付治具。
【請求項３】
前記傘軸の他端部には、前記ダクトの内壁に接地可能な脚部が取り付けられている請求項２に記載のセンサ取付治具。
【発明の詳細な説明】
【技術分野】
【０００１】
本発明は、センサ取付治具に関する。
【背景技術】
【０００２】
下記特許文献１には、センサの取り付けられた支持部材を挿入口からダクト内に挿入する構成が開示されている。
【０００３】
また、下記特許文献２には、センサ取付治具をダクト側面の開口部から挿入した後、４本脚を展開し、角形ダクトの４隅部で保持する構成が開示されている。
【先行技術文献】
【特許文献】
【０００４】
【特許文献１】特開２００２−２１３９９８号公報
【特許文献２】特開平１１−２０１５３０号公報
【発明の概要】
【発明が解決しようとする課題】
【０００５】
上記特許文献１では、センサをダクト内の適切な位置に配置することが難しい。多点計測するためには、複数の支持部材をそれぞれ挿入する挿入孔が複数必要となる。
【０００６】
また、上記特許文献２では、ダクト内にセンサ取付治具のすべてを収納させなければならず、センサ取付治具をダクト内に固定する作業が煩雑となると共に、センサをダクト内の適切な位置に配置することが難しい。
【０００７】
本発明は上記事実を考慮し、センサをダクト内の適切な位置に配置することが可能なセンサ取付治具を提供することが目的である。
【課題を解決するための手段】
【０００８】
請求項１の発明に係るセンサ取付治具は、ダクトの測定口から前記ダクトの内部へ挿入されるシャフトと、前記シャフトの先端部に設けられ、前記ダクトの内部で折れ曲がり軸方向を空気の流れ方向とする折曲部材と、前記折曲部材に展開閉止可能に取り付けられ、前記シャフトに挿通された操作部材の操作により、放射状に展開又は閉止する複数の開閉部材と、前記開閉部材に取り付けられ、前記ダクトの内部を流れる空気の状態を測定するセンサと、を有する。
【０００９】
ここで、「放射状」とは、中心部から半径方向外側の全体に広がる構成だけでなく、中心部から半径方向外側の一部に広がる扇状なども含む意味である。
【００１０】
請求項１に記載の発明によれば、折曲部材をシャフトに対して折り曲げずに直線状とし、複数の開閉部材を閉止した状態で、ダクトの測定口からシャフトの先端部の折曲部材及び複数の開閉部材がダクトの内部に挿入される。そして、ダクトの内部で折曲部材がシャフトに対して折れ曲がることで、折曲部材の軸方向を空気の流れ方向とする。この状態で、シャフトに挿通された操作部材の操作により、複数の開閉部材が放射状に展開される。開閉部材には、ダクトの内部を流れる空気の状態を測定するセンサが取り付けられており、センサで検出された信号がダクトの外部で取得される。例えば、センサとして、風速又は温度を検出するセンサを用いることで、ダクトの内部の空気の風速又は温度の情報が取得される。
【００１１】
このセンサ取付治具では、ダクトの内部で放射状に展開された複数の開閉部材にセンサが取り付けられていることで、センサをダクト内の適切な位置に配置することができ、ダクトの内部を流れる空気の状態を精度よく測定することができる。
【００１２】
請求項２の発明に係るセンサ取付治具は、請求項１に記載のセンサ取付治具において、前記折曲部材は、受け板と、前記受け板より前記折曲部材の先端側で前記折曲部材の軸方向に沿って移動する筒状体と、前記受け板と前記筒状体との間に介在される開閉バネと、を備え、前記開閉部材は、一端が前記受け板に回動可能に連結され、前記センサが取り付けられた傘軸と、一端が前記筒状体に回動可能に連結され、他端が傘軸に回動可能に連結された支持軸と、を備え、前記操作部材は、一端部が前記筒状体に取り付けられ、他端部が前記シャフトから引き出され、前記筒状体を移動させる展開用紐である。
【００１３】
請求項２に記載の発明によれば、開閉バネが伸びた状態で、筒状体が受け板に対して折曲部材の先端側に移動しており、筒状体に一端が連結された支持軸が閉止方向に回動していることで、支持軸の他端が連結された傘軸が閉止されている（閉じている）。シャフトから引き出された展開用紐の他端部を引っ張ると、展開用紐の一端部が取り付けられた筒状体が開閉バネを圧縮させて受け板に近づく方向に移動することで、支持軸が傘軸を押し上げ、傘軸が放射状に展開される。このため、シャフトから引き出された展開用紐の操作により、傘軸を放射状に展開させることができる。
【００１４】
請求項３の発明に係るセンサ取付治具は、請求項２に記載のセンサ取付治具において、前記傘軸の他端部には、前記ダクトの内壁に接地可能な脚部が取り付けられている。
【００１５】
請求項３に記載の発明によれば、傘軸が放射状に展開された状態で、傘軸の他端部に取り付けられた脚部の少なくとも一部が、ダクトの内壁に接地される。これにより、傘軸の位置が安定化し、傘軸に取り付けられたセンサの位置が安定化するので、空気の状態のより正確な測定が可能となる。
【発明の効果】
【００１６】
本発明のセンサ取付治具によれば、センサをダクト内の適切な位置に配置することが可能である。
【図面の簡単な説明】
【００１７】
【図１】第１実施形態のセンサ取付治具を示す側面図である。
【図２】第１実施形態のセンサ取付治具の複数の開閉部材が展開された状態を示す、一部を拡大した側面図である。
【図３】第１実施形態のセンサ取付治具の複数の開閉部材が閉止された状態を示す、一部を拡大した側面図である。
【図４】（Ａ）は、第１実施形態のセンサ取付治具の折曲部材が伸びた状態を示す断面図（図４（Ｂ）中の４Ａ−４Ａ線に沿った断面図）であり、（Ｂ）は、第１実施形態のセンサ取付治具の折曲部材が伸びた状態を示す側断面図である。
【図５】（Ａ）は、第１実施形態のセンサ取付治具の折曲部材が折り曲げられた状態を示す断面図であり、（Ｂ）は、第１実施形態のセンサ取付治具の折曲部材が折り曲げられた状態を示す側断面図である。
【図６】第１実施形態のセンサ取付治具の複数の開閉部材をダクト内で展開した状態を示す側面図である。
【図７】第１実施形態のセンサ取付治具の複数の開閉部材をダクト内で展開した状態を示す正面図である。
【図８】第２実施形態のセンサ取付治具の複数の開閉部材をダクト内で展開した状態を示す側面図である。
【図９】第３実施形態のセンサ取付治具に適用される第一例の整流装置をダクト内で展開した状態を示す側面図である。
【図１０】第一例の整流装置をダクト内で展開した状態を示す正面図である。
【図１１】（Ａ）は、第一例の整流装置のメッシュ状の布の外周側を示す正面図であり、（Ｂ）は、第一例の整流装置のメッシュ状の布の中心部側を示す正面図である。
【図１２】比較例の測定用フードを示す構成図である。
【発明を実施するための形態】
【００１８】
本発明の実施の形態について、図面を基に詳細に説明する。なお、各図は模式的なものであり、本発明と関連性の低いものは図示を省略している。
【００１９】
〔第１実施形態〕
第１実施形態に係るセンサ取付治具について図１〜図７を参照して説明する。
【００２０】
図１に示されるように、センサ取付治具１０は、略直線状のシャフト１２と、シャフト１２の先端部に設けられると共にシャフト１２に対して折れ曲がり可能に構成された折曲部材１４と、を備えている。さらに、センサ取付治具１０は、折曲部材１４に展開閉止可能に取り付けられた複数の開閉部材１６と、開閉部材１６の後述する傘軸６０に取り付けられた温度センサ１８及び風速センサ２０と、を備えている。
【００２１】
シャフト１２は、図１中の上下方向の下側（軸方向の一端部側）に配置される円筒状の第１シャフト１２Ａと、第１シャフト１２Ａの軸方向の上側に配置される円筒状の第２シャフト１２Ｂと、第２シャフト１２Ｂの軸方向の上側に配置される円筒状の第３シャフト１２Ｃと、を備えている。さらに、シャフト１２は、第１シャフト１２Ａの軸方向の下端部に配置される把持部２２を備えている。第２シャフト１２Ｂの外径は、第１シャフト１２Ａの外径よりも小さい。第３シャフト１２Ｃの外径は、第２シャフト１２Ｂの外径よりも小さい。把持部２２の外径は、第１シャフト１２Ａの外径よりも大きい。
【００２２】
第２シャフト１２Ｂの下端部は、第１シャフト１２Ａの内部に挿入されており、第１シャフト１２Ａに対して第２シャフト１２Ｂが軸方向に移動可能とされている。図示を省略するが、第１シャフト１２Ａには、第２シャフト１２Ｂを軸方向の任意の位置で固定するする固定具が設けられており、第２シャフト１２Ｂの軸方向の長さが調整可能とされている。また、第３シャフト１２Ｃの下端部は、第２シャフト１２Ｂの内部に挿入されており、第２シャフト１２Ｂに対して第３シャフト１２Ｃが軸方向に移動可能とされている。図示を省略するが、第２シャフト１２Ｂには、第３シャフト１２Ｃを軸方向の任意の位置で固定する固定具が設けられており、第３シャフト１２Ｃの軸方向の長さが調整可能とされている。第２シャフト１２Ｂと第３シャフト１２Ｃの軸方向の長さを変更することで、シャフト１２全体の軸方向の長さが調整可能とされている。
【００２３】
シャフト１２（図１では第１シャフト１２Ａ）の軸方向の中間部には、後述するダクト８０の測定口８２（図６参照）に嵌合される円板状の蓋２４が設けられている。蓋２４の中心部には、貫通孔が設けられており、貫通孔にシャフト１２が挿通されている。図示を省略するが、例えば、蓋２４の貫通孔には、ゴム製のパッキンが取り付けられており、蓋２４をシャフト１２の軸方向の任意の位置に移動できるようになっている。
【００２４】
把持部２２には、データ出力端子２２Ａと、把持部２２から外部に後述する展開用紐３８が引き出される開口２２Ｂと、を備えている。図示を省略するが、温度センサ１８及び風速センサ２０に一端が電気的に接続された配線は、後述する上部シャフト２８及びシャフト１２の内部を通って他端がデータ出力端子２２Ａに電気的に接続されている。図６に示されるように、データ出力端子２２Ａには、測定装置６６に設けられたコード６８のコネクタ７０が接続される。
【００２５】
図２及び図３に示されるように、折曲部材１４は、円筒状の上部シャフト２８と、上部シャフト２８を第３シャフト１２Ｃに対して折れ曲がる方向と直線状に配置される方向とに移動させる折曲装置３０と、を備えている。また、折曲部材１４は、上部シャフト２８の軸方向の中間部に固定された受け板３２と、受け板３２より上部シャフト２８の先端側で上部シャフト２８の軸方向に沿って移動する筒状体３４と、受け板３２と筒状体３４との間に介在される開閉バネ３６と、を備えている。
【００２６】
受け板３２は、外径が上部シャフト２８の外径より大きい円板状の部材であり、受け板３２の貫通孔に上部シャフト２８が挿通された状態で受け板３２が上部シャフト２８に接着等により接合されている。筒状体３４は、略円筒状に形成されており、筒状体３４の内部に上部シャフト２８の先端部が挿入されている。開閉バネ３６は、例えば、一端が受け板３２に固定されており、他端が筒状体３４に固定されている。
【００２７】
筒状体３４の先端部３４Ａ（受け板３２と反対側の端部）は、壁部３４Ｂで塞がれている。壁部３４Ｂには、操作部材としての展開用紐３８の長手方向の一端部３８Ａが取り付けられている。展開用紐３８は、筒状体３４、上部シャフト２８及びシャフト１２の内部に挿通されており、展開用紐３８の長手方向の他端部３８Ｂは、把持部２２の開口２２Ｂから外部に引き出されている（図１参照）。展開用紐３８の他端部３８Ｂの端末には、環状体３８Ｃが設けられている。開閉バネ３６は、自由状態で伸びており、筒状体３４が受け板３２に対して離れた位置に配置されている（図３参照）。展開用紐３８の他端部３８Ｂを引っ張ることで、開閉バネ３６を圧縮させ、筒状体３４が受け板３２に近づく方向に移動するようになっている（図２参照）。
【００２８】
図４及び図５に示されるように、折曲装置３０は、第３シャフト１２Ｃの上端部に配置されたケース４２を備えている。ケース４２は、略円筒状の筒部４２Ａと、筒部４２Ａの軸方向の両側に設けられた一対の円形状の側壁４２Ｂと、を備えている。一対の側壁４２Ｂの内側には、側壁４２Ｂの外径よりも外径が小さい略円形状のガイド部４２Ｃが設けられている。一対の側壁４２Ｂ及びガイド部４２Ｃには、軸部４４が掛け渡されており、軸部４４の両側はナット４６で側壁４２Ｂに固定されている。
【００２９】
ケース４２の内部には、ガイド部４２Ｃに沿って回転する円筒体４８が設けられている。円筒体４８は、上部シャフト２８の下端部に接合されている。図示を省略するが、円筒体４８には、展開用紐３８が挿通される開口が設けられている。筒部４２Ａには、上部シャフト２８の移動範囲を規定する開口部５０が設けられている（図４（Ｂ）、図５（Ｂ）参照）。開口部５０は、筒部４２Ａに、上部シャフト２８が筒部４２Ａの上側の鉛直方向の位置から筒部４２Ａの横側の水平方向の位置までの間を移動する範囲に形成されている。筒部４２Ａにおける開口部５０の下縁部には、上部シャフト２８を水平方向の位置で保持するストッパ５２が設けられている。展開用紐３８は、軸部４４に対してストッパ５２と反対側の位置で軸部４４と接触している。この折曲装置３０では、円筒体４８がガイド部４２Ｃに沿って回転することで、上部シャフト２８がシャフト１２の鉛直方向の位置から約９０°折れ曲がるようになっている。これにより、空気を送風するダクト８０の内部で上部シャフト２８がシャフト１２に対して約９０°折れ曲がることで、上部シャフト２８の軸方向を空気の流れ方向とすることができる（図６参照）。図示を省略するが、ダクト８０は、建物の天井に設けられている。
【００３０】
図２及び図３に示されるように、複数の開閉部材１６は、一端部６０Ａが受け板３２に回動可能に連結された傘軸６０と、一端が筒状体３４の先端部３４Ａに回動可能に連結されると共に他端が傘軸６０の中間部に回動可能に連結された支持軸６２と、を備えている。傘軸６０及び支持軸６２は、複数（本実施形態では、６個）設けられている。
【００３１】
図３に示されるように、開閉バネ３６が受け板３２に対して上部シャフト２８の先端側（矢印Ａ方向）に伸びた状態では、筒状体３４が受け板３２に対して離れた位置に配置されている。これにより、筒状体３４に回動可能に連結された複数の支持軸６２が閉止方向に回動し、複数の支持軸６２に引っ張られることで、複数の傘軸６０が上部シャフト２８の方向（矢印Ｂ方向）に閉止されている（閉じられている）。
【００３２】
また、図４に示されるように、展開用紐３８の他端部３８Ｂ（図１参照）を引っ張ることで、筒状体３４が受け板３２に近づく方向に移動し、開閉バネ３６が受け板３２の方向（矢印Ｃ方向）に圧縮される。これにより、筒状体３４に回動可能に連結された複数の支持軸６２が上部シャフト２８から離れる方向（矢印Ｄ方向）に押し上げられ、傘軸６０が受け板３２に沿った方向（矢印Ｅ方向）に広がる。これにより、傘軸６０が放射状に展開されるようになっている。
【００３３】
図１に示されるように、傘軸６０の他端部（先端部）６０Ｂには、ダクト８０の内壁８０Ａに接地可能な脚部６４が取り付けられている。脚部６４は、例えば、ゴム製とされている。
【００３４】
傘軸６０には、前述したように温度センサ１８及び風速センサ２０が取り付けられている（図１参照）。一例として、温度センサ１８及び風速センサ２０は、５本の傘軸６０に取り付けられている。本実施形態では、１本の傘軸６０の根元側に温度センサ１８及び風速センサ２０が取り付けられており、４本の傘軸６０の先端側に、温度センサ１８及び風速センサ２０が取り付けられている。傘軸６０の先端側の温度センサ１８及び風速センサ２０の位置は、２本毎に異なる位置とされている。ここで、温度センサ１８及び風速センサ２０は、ダクト８０の内部を流れる空気の状態を測定するセンサの一例である。
【００３５】
図６及び図７に示されるように、センサ取付治具１０では、折曲部材１４側がダクト８０に挿入されることで、温度センサ１８と風速センサ２０により、ダクト８０の内部を流れる空気の温度と風速を検出するようになっている。ダクト８０は、筒状とされており、ダクト８０の内部には、図示しないファンにより空気が所定の方向（矢印Ｇ方向）に流れている。本実施形態では、ダクト８０は、略矩形状とされている（図７参照）。ダクト８０の下部には、センサ取付治具１０の折曲部材１４側が挿入される測定口８２が設けられている。測定口８２の内壁８２Ａの内径は、蓋２４の外径より若干大きく形成されており、蓋２４が測定口８２の内壁８２Ａに嵌合されるようになっている。なお、図示を省略するが、測定口８２は、通常の状態（センサ取付治具１０による測定を行わない状態）では、板状の閉止蓋により塞がれている。
【００３６】
次に、第１実施形態の作用及び効果について説明する。
【００３７】
ダクト８０の内部の測定を行う際には、センサ取付治具１０のシャフト１２に対して折曲部材１４の上部シャフト２８を直線状に配置し、複数の傘軸６０を閉止した状態とする（図１参照）。本実施形態のセンサ取付治具１０では、開閉バネ３６が伸びた状態で、筒状体３４が受け板３２に対して上部シャフト２８の先端側に移動しており、筒状体３４に一端が連結された支持軸６２が閉止方向に回動していることで、支持軸６２の他端が連結された傘軸６０が閉止されている（図３参照）。
【００３８】
この状態で、シャフト１２の把持部２２を把持し、センサ取付治具１０の傘軸６０側から折曲部材１４をダクト８０の測定口８２に挿入する。その際、上部シャフト２８の折れ曲がり方向を空気の流れ方向（矢印Ｇ方向）の上流側に向けて配置する。センサ取付治具１０の折曲装置３０をダクト８０の上下方向の中間部付近まで挿入した状態で、シャフト１２の軸方向を空気の流れ方向（矢印Ｇ方向）の上流側に向けて傾ける。これにより、ダクト８０の内部で上部シャフト２８がシャフト１２に対して約９０°折れ曲がる。さらに、シャフト１２の軸方向を鉛直方向に配置することで、上部シャフト２８の軸方向を空気の流れ方向（矢印Ｇ方向）とする。そして、シャフト１２の蓋２４をダクト８０の測定口８２に嵌合させる。これにより、シャフト１２の位置が安定化し、シャフト１２のグラつきが抑制される。さらに、手振れなどによるシャフト１４の傾きを軽減することができる。
【００３９】
シャフト１２の把持部２２から引き出された展開用紐３８の他端部３８Ｂを引っ張ると、図２に示されるように、展開用紐３８の一端部３８Ａが取り付けられた筒状体３４が開閉バネ３６を圧縮させて受け板３２に近づく方向に移動する。これにより、複数の支持軸６２が傘軸６０をそれぞれ押し上げ、図６及び図７に示されるように、複数の傘軸６０が放射状に展開される。この状態で、展開用紐３８の他端部３８Ｂを把持部２２に固定する。例えば、展開用紐３８の環状体３８Ｃを把持部２２に設けられた突起（図示省略）に引っ掛けることで、展開用紐３８の他端部３８Ｂを把持部２２に固定してもよい。
【００４０】
複数の傘軸６０が放射状に展開されると、複数の傘軸６０のうち一部（本実施形態では４本）の傘軸６０の脚部６４がダクト８０の内壁８０Ａに接地される。例えば、傘軸６０の先端が折れ曲がった状態で脚部６４がダクト８０の内壁８０Ａに接地される（図６参照）。傘軸６０は、ダクト８０の内壁８０Ａに接触して折れ曲がっても、ダクト８０の内壁８０Ａとの接触を解除すると元の直線状に戻る素材で形成されている。本実施形態では、脚部６４は、ゴム製とされており、脚部６４がダクト８０の内壁８０Ａに張り付くように固定されることで、傘軸６０の滑り止めとしての機能を有する。これにより、複数の傘軸６０の位置が安定化し、ダクト８０に設けられたファン（図示省略）により傘軸６０が振動することが抑制される。
【００４１】
傘軸６０には、それぞれ温度センサ１８及び風速センサ２０が取り付けられている。本実施形態では、１本の傘軸６０の根元側に温度センサ１８及び風速センサ２０が取り付けられ、４本の傘軸６０の先端側に温度センサ１８及び風速センサ２０が取り付けられている。これにより、ダクト８０の中心部に１個の温度センサ１８及び風速センサ２０が配置され、ダクト８０の内壁８０Ａ側の周囲に４個の温度センサ１８及び風速センサ２０が配置され、計５箇所でダクト８０の内部を流れる空気の温度及び風速が検出される。温度センサ１８及び風速センサ２０で検出された空気の温度及び風速の検出信号は、ダクト８０の外部で測定装置６６によって取得される。
【００４２】
上記のセンサ取付治具１０では、ダクト８０の外部から展開用紐３８を操作することにより、複数の傘軸６０を放射状に展開させることができる。また、複数の傘軸６０が放射状に展開されることで、複数の温度センサ１８及び風速センサ２０をダクト８０内の適切な位置に配置することができる。これにより、ダクト８０の内部を流れる空気の温度及び風速の情報を精度よく取得することができる。
【００４３】
また、センサ取付治具１０では、複数の傘軸６０が放射状に展開されると、複数の傘軸６０のうち一部（本実施形態では４本）の傘軸６０の脚部６４がダクト８０の内壁８０Ａに接地される。これにより、傘軸６０の滑りが抑制され、傘軸６０の位置が安定化するとともに、傘軸６０が振動することが抑制される。このため、ダクト８０の内部を流れる空気の温度及び風速の情報をさらに精度よく取得することができる。
【００４４】
また、センサ取付治具１０では、開閉バネ３６等を用いて複数の傘軸６０が閉止又は展開する構成であるので、比較的安価に製造することができる。
【００４５】
本実施形態では、ダクト８０の測定口８２として、例えば、直径が４５〜６０ｍｍの市販（既製品）の測定口を利用してもよい。センサ取付治具１０は、複数の傘軸６０を閉止すると細くなるため、市販の測定口８２から差し込めるようになっている。
【００４６】
図１２には、比較例の測定用フード２００が示されている。図１２に示されるように、建物の天井２０２には、空気を送風するダクト２０４の端末に制気口２０６が設けられている。制気口２０６の内側（ダクト２０４側）には、フィルター２０８が設けられている。ダクト２０４を流れる空気の温度及び風速を測定する際には、制気口２０６を覆うように測定用フード２００を固定する。
【００４７】
測定用フード２００は、制気口２０６の周囲の天井２０２に接触すると共に内径が徐々に縮小されるプラダン製のアダプタ２１０と、アダプタ２１０の下部に連結されて上下方向の下方側に延びた筒状部２１４と、を備えている。筒状部２１４内のアダプタ２１０と隣接する位置には、整流板２１６が設けられている。筒状部２１４の下端部には、空気が吹き出される開口部２１４Ａが設けられている。例えば、整流板２１６の上下方向の長さは約３００ｍｍであり、整流板２１６から下側の筒状部２１４の上下方向の長さは約２４００ｍｍであり、開口部２１４Ａの幅は約３００ｍｍである。
【００４８】
風速計２２０は、本体部２２０Ａと、棒状の検出部２２０Ｂと、検出部２２０Ｂと本体部２２０Ａとを電気的に接続するコード２２０Ｃと、を備えている。検出部２２０Ｂの先端部には、温度センサ及び風速センサなどが設けられている。測定用フード２００の開口部２１４Ａの下側に風速計２２０の検出部２２０Ｂを配置し、開口部２１４Ａの異なる位置の５点で風速及び温度を測定する。
【００４９】
例えば、下記の式により、換気量が算出される。
風量〔ｍ３／ｈ〕＝平均風速〔ｍ／ｓ〕×ダクト断面積〔ｍ２〕×３６００
【００５０】
上記のような測定用フード２００では、制気口２０６の大きさにより測定用フード２００を変更する必要があり、測定用フード２００の固定と、測定及び記録のために作業者が２名は必要である。また、測定用フード２００は、漏気対策として天井２０２の面にしっかりと押し付ける必要があり、測定用フード２００の固定に時間がかかる上に精度が低くなる可能性がある。
【００５１】
一方、図示を省略するが、試験調整などでダクト内の風速を簡易的に測定する場合がある。この場合には、ダクトに設けられた測定口に既存の風速計のセンサを差し込み、センサにより空気の温度及び風速を測定する。しかし、この方法では、天井内の狭い場所での測定は時間がかかり、風速計のセンサを正確な位置に向けることが難しく、測定精度が低くなる。
【００５２】
これに対して、本実施形態のセンサ取付治具１０では、ダクト８０の測定口８２からダクト８０の内部に挿入された傘軸６０が放射状に展開されることで、傘軸６０に設けられた温度センサ１８及び風速センサ２０により、空気の温度及び風速を精度よく測定することができる。
【００５３】
〔第２実施形態〕
次に、図８を用いて、第２実施形態のセンサ取付治具について説明する。なお、前述した第１実施形態と同一構成部分については、同一番号を付してその説明を省略する。
【００５４】
図８に示されるように、センサ取付治具１００は、無線式で測定装置１１０にデータを送信する構成とされており、把持部２２にデータを発信する出力装置１０２を備えている。図示を省略するが、温度センサ１８及び風速センサ２０は、シャフト１２内の配線を通じて出力装置１０２に電気的に接続されている。出力装置１０２は、例えば、ブルートゥース（登録商標）などの方式でデータを発信する。図示を省略するが、把持部２２には、試験検査用の暫定利用に対応できるように、測定装置１１０の専用コード（図示省略）で測定可能な出力端子を備えている。
【００５５】
測定装置１１０には、受信部１１２が設けられており、出力装置１０２から発信されたデータが受信部１１２で受信される。これにより、ダクト８０内を流れる空気の温度及び風速が測定される。
【００５６】
上記のようなセンサ取付治具１００では、無線式で測定装置１１０にデータを送信するため、無人又は一人で正確かつ短時間でダクト８０内を流れる空気の温度及び風速を測定することができる。
【００５７】
なお、測定装置１１０に代えて、例えば、建物の環境性能を監視するＢＥＭＳ（Building Energy Management System）用の受信装置を設けてもよい。ＢＥＭＳ用の受信装置を設けることで、ダクト８０内を流れる空気の温度及び風速を常時モニタリングすることが可能である。ＢＥＭＳ用の受信装置へのデータ送信の場合は、変風量装置（ＶＡＶ）による風量変動の状況を把握することができ、室内の温度分布と変風量装置（ＶＡＶ）の制御風量との因果関係を検証することができる。このため、空調風量の正確な把握が可能である。
【００５８】
〔第３実施形態〕
次に、図９〜図１１を用いて、第３実施形態のセンサ取付治具及び整流装置について説明する。なお、前述した第１及び第２実施形態と同一構成部分については、同一番号を付してその説明を省略する。
【００５９】
図９に示されるように、ダクト８０には、複数（本実施形態では２個）の測定口８２が設けられている。ダクト８０内の空気の流れ方向の下流側の測定口８２には、センサ取付治具１０の折曲部材１４側が挿入されている。ダクト８０内の空気の流れ方向の上流側の測定口８２には、整流装置１２０の後述する折曲部材１４側が挿入されている。なお、図９では、センサ取付治具１０に接続される測定装置６６は、図示を省略している。
【００６０】
整流装置１２０は、シャフト１２と、折曲部材１４と、複数の開閉部材１６と、を備えている。複数の開閉部材１６には、複数の傘軸６０が設けられている。図９及び図１０に示されるように、整流装置１２０は、複数の傘軸６０に繋がるように取り付けられたメッシュ布１２２を備えている。複数の傘軸６０が放射状に展開されると、メッシュ布１２２は、傘軸６０の先端側を頂点とした略六角形状に広がる構成とされている（図１０参照）。メッシュ布１２２は、傘軸６０の半径方向及び隣り合う傘軸６０の方向に並べて配置された複数の開口１２２Ａを備えている。
【００６１】
図１０及び図１１に示されるように、メッシュ布１２２の中心部側は、開口１２２Ａの大きさが小さく（図１１（Ｂ）参照）、メッシュ布１２２の外周部側に向かって開口１２２Ａの大きさが大きくなる（図１１（Ａ）参照）。開口１２２Ａの形状は、例えば、略六角形とされている。図１０では、構成を分かりやすくするため、実際の開口１２２Ａの形状とは異なる形状で図示している。
【００６２】
メッシュ布１２２の中心部側の開口１２２Ａの直径（最も広い部分の直径）は、例えば、３〜５ｍｍであり、メッシュ布１２２の外周側の最大の開口１２２Ａの直径（最も広い部分の直径）は、例えば、１０ｍｍである。なお、開口１２２Ａの形状は、略六角形に限定されるものではなく、例えば、円形状又は矩形状などの他の形状でもよい。
【００６３】
図９に示されるように、整流装置１２０は、上部シャフト２８の先端側の筒状体３４が矢印Ｇ１、Ｇ２に示す空気の流れ方向の下流側を向くように配置されており、複数の傘軸６０の先端側が空気の流れ方向の下流側に向けて放射状に展開されている。整流装置１２０の上部シャフト２８及び複数の傘軸６０の方向は、センサ取付治具１０の上部シャフト２８及び複数の傘軸６０の方向と逆である。ダクト８０内の空気の流れ方向におけるメッシュ布１２２の上流側では、ダクト８０の中心部は、矢印Ｇ１に示すように空気の速度が大きく、ダクト８０の内壁８０Ａ付近は、ダクト８０の中心部に比べて矢印Ｇ２に示すように空気の速度が小さい。ダクト８０内を流れる空気は、メッシュ布１２２を通過すると、矢印Ｇ３に示すように空気の速度がほぼ均等となるように整流される。
【００６４】
本実施形態では、整流装置１２０によりダクト８０内の空気を整流し、空気の流れ方向の下流側のセンサ取付治具１００で温度センサ１８及び風速センサ２０により空気の温度及び風速を測定する。これにより、空気の温度及び風速のより正確な測定が可能となる。
【００６５】
〔補足説明〕
なお、上記第１〜第３実施形態のセンサ取付治具１０、１００では、温度センサ１８及び風速センサ２０が設けられているが、本発明はこの構成に限定するものではない。例えば、センサ取付治具に設けられるセンサの種類を変えることで、風圧や湿度などを測定することが可能である。
【００６６】
また、上記第１〜第３実施形態では、複数の開閉部材１６は、複数の傘軸６０が中心部から半径方向外側の全体に放射状に広がる構成であるが、本発明は、この構成に限定するものではない。例えば、複数の開閉部材は、複数の軸が中心部から半径方向外側の一部に扇状に広がる形状でもよい。すなわち、本発明の「放射状」は、中心部から半径方向外側の全体に広がる構成だけでなく、中心部から半径方向外側の一部に広がる扇状なども含む。
【００６７】
また、上記第１〜第３実施形態では、脚部６４は、ゴム製とされているが、脚部を構成する材料は変更である。
【００６８】
なお、本発明を特定の実施形態について詳細に説明したが、本発明はかかる実施形態に限定されるものではなく、本発明の範囲内にて他の種々の実施形態が可能であることは当業者にとって明らかである。
【符号の説明】
【００６９】
１０   センサ取付治具
１２   シャフト
１４   折曲部材
１６   開閉部材
１８   温度センサ（センサの一例）
２０   風速センサ（センサの一例）
２８   上部シャフト
３０   折曲装置
３２   受け板
３４   筒状体
３６   開閉バネ
３８   展開用紐（操作部材の一例）
３８Ａ 一端部
３８Ｂ 他端部
６０   傘軸
６０Ａ 一端部（一端の一例）
６２   支持軸
６４   脚部
８０   ダクト
８０Ａ 内壁
８２   測定口
１００ センサ取付治具
【図１】
2019219191.tif 000003
【図２】
2019219191.tif 000004
【図３】
2019219191.tif 000005
【図４】
2019219191.tif 000006
【図５】
2019219191.tif 000007
【図６】
2019219191.tif 000008
【図７】
2019219191.tif 000009
【図８】
2019219191.tif 000010
【図９】
2019219191.tif 000011
【図１０】
2019219191.tif 000012
【図１１】
2019219191.tif 000013
【図１２】
2019219191.tif 000014